(57)【要約】【課題】材料を増やすことなく、また、折り工数を増やすことなく段積み荷重に耐え得る強度を高めることができ、段積み姿勢の安定性が良好な箱体を提供する。【解決手段】平面視四角形をなし、底部１１を有する箱本体１と、該箱本体１の対向する各第１側板１２，１２に第１折目２，２により連なる内蓋３，３と、前記箱本体１の対向する各第２側板１３，１３に第２折目４，４により連なる外蓋５，５とを備え、第１折目２，２を、第２折目４，４よりも前記底部１１側へ偏倚する第１偏倚折目２１，２１、及び該第１偏倚折目に連なり、該第１偏倚折目２１，２１よりも内蓋３，３側へ偏倚する第２偏倚折目２２，２２を有する構成とし、段積み荷重を、第２折目４，４の箇所及び第２偏倚折目２２，２２による凸部箇所に夫々加えるようにした。【選択図】図１
2009248974.tif 000002
【特許請求の範囲】
【請求項１】
平面視四角形をなし、底部を有する箱本体と、該箱本体の対向する各第１側板に第１折目により連なる内蓋と、前記箱本体の対向する各第２側板に第２折目により連なる外蓋とを備える箱体において、前記第１折目は、前記第２折目よりも前記底部側へ偏倚する第１偏倚折目、及び該第１偏倚折目に連なり、該第１偏倚折目よりも前記内蓋側へ偏倚する第２偏倚折目を有することを特徴とする箱体。
【請求項２】
前記第２偏倚折目の偏倚量は、前記第１偏倚折目の偏倚量と等しい請求項１記載の箱体。
【請求項３】
前記第１偏倚折目及び第２偏倚折目の偏倚量は３〜５ｍｍである請求項１又は２記載の箱体。
【請求項４】
前記第２偏倚折目は、長手方向の中央部に配してある請求項１から３のいずれか一つに記載の箱体。
【請求項５】
前記第２偏倚折目の長さは、前記第１偏倚折目の長さよりも短い請求項１から４のいずれか一つに記載の箱体。
【請求項６】
前記第１偏倚折目及び第２偏倚折目の境界部はスリットを有する請求項１から５のいずれか一つに記載の箱体。
【請求項７】
前記第１偏倚折目及び第２偏倚折目の境界部は第１折目の長手方向に対し傾斜している請求項１から６のいずれか一つに記載の箱体。
【請求項８】
前記第２折目は、長手方向両端部の間で前記第２側板側へ湾曲している請求項１から７のいずれか一つに記載の箱体。
【請求項９】
前記第１折目の長さは、前記第２折目の長さよりも長い請求項１から８のいずれか一つに記載の箱体。
【発明の詳細な説明】
【技術分野】
【０００１】
本発明は薄型テレビジョンなどの被収容物を収容するための段ボール箱等の箱体に関する。
【背景技術】
【０００２】
被収容物を収容して梱包するための段ボール紙製の箱体は、平面視四角形をなし、底部を有する箱本体と、該箱本体の一方向に対向する各第１側板に第１折目により連なる各内蓋と、前記箱本体の他方向に対向する各第２側板に第２折目により連なる各外蓋とを備え、被収容物を収容した後、二つの内蓋を第１折目から折り、さらに二つの外蓋を第２折目から折り、この一対の外蓋の先端部を、内蓋の一部に切設されている被差込スリットに差込むことにより梱包される。
【０００３】
梱包された箱体が段積みされた際、上側の箱体の全荷重が下側の箱体に加わるため、箱体は段積み荷重に耐え得る強度が要求され、また、段積み姿勢の安定性が要求される。
【０００４】
図１２〜図１５は従来の段ボール紙製の箱体の構成を示すもので、図１２は展開図、図１３は内蓋及び外蓋が省略された状態を示す斜視図、図１４は組立てられた状態を示す斜視図、図１５は組立てられた状態の蓋部分の拡大断面図である。また、図１６は段積みされた際の説明図である。この箱体は、二つの第１折目１００，１００及び二つの第２折目１０１，１０１が図１２に示すように直線的に配されおり、二つの内蓋１０２，１０２が第１折目１００，１００から折られた後、二つの外蓋１０３，１０３が折られる際、外蓋１０３，１０３は図１５に示すように内蓋１０２，１０２の厚さ分だけ第２折目１０１，１０１よりも第２側板１０４と離隔する側で折られることになり、折り箇所が盛り上がるため、図１６に示すように段積み姿勢の安定性が悪く、保管時、輸送時に転倒し易いという問題がある。
【０００５】
図１７〜図１９は改良された従来の段ボール紙製の箱体の構成を示すもので、図１７は展開図、図１８は内蓋及び外蓋が省略された状態を示す斜視図、図１９は組立てられた状態の蓋部分の拡大断面図である。また、図２０は段積みされた際の説明図である。この改良された箱体は、内蓋１０２，１０２に連なる第１折目１００，１００を、外蓋１０３，１０３に連なる第２折目１０１，１０１よりも内蓋１０２，１０２の厚さ分だけ底部側へ偏倚させてあり、二つの内蓋１０２，１０２が第１折目１００，１００から折られた後、二つの外蓋１０３，１０３が折られる際、外蓋１０３，１０３は図１９に示すように第２折目１０１，１０１から折られることになり、外蓋１０３，１０３の折り箇所が盛り上がることはなく、段積み姿勢の安定性を良好にできる。しかし、改良された箱体にあっては、段積み荷重が、外蓋１０３，１０３に連なる第２折目１０１，１０１部分に加わった後で、内蓋１０２，１０２に連なる第１折目１００，１００部分に加わるため、段積み荷重が第１折目１００，１００部分に加わるまでの間に第２折目１０１，１０１部分が潰れ、強度低下を来すことになり、段積み個数が増加した場合、下側の箱体の側板が外膨らみに湾曲、換言すると胴ぶくれに変形する可能性が高くなり、さらなる改善策が要望されていた。
【０００６】
段積み荷重による箱体の胴ぶくれ変形をなくすることができ、段積み姿勢の安定性が良好な段ボール紙製の箱体は、例えば特許文献１に開示されている。この特許文献１の箱体は、平面視四角形をなし、底部を有する箱本体と、該箱本体の一方向に対向する各第１側板に第１折目により連なる各内蓋と、前記箱本体の他方向に対向する各第２側板に第２折目により連なる各外蓋とを備える箱体において、二つの第１側板の一部に折り重なり部を設け、該折り重なり部により段積み強度を高めるように構成されている。
【特許文献１】特開２００２−２６４９２６号公報
【発明の開示】
【発明が解決しようとする課題】
【０００７】
ところが、特許文献１のように二つの第１側板の一部に折り重なり部を有する箱体にあっては、箱体の組立て時に、折り重なり部を折曲げる工程が余分に必要であるため、組立て作業性が悪くなり、また、折り重なり部が箱体内部に配されるため、箱体内部の容積が低減し、被収容物の収容空間が制約されることになり、また、折り重なり部の材料が余分に必要であるため、比較的コスト高になるという問題がある。
【０００８】
本発明は斯かる事情に鑑みてなされたものであり、主たる目的は第１折目を、第２折目よりも箱本体の底部側へ偏倚する第１偏倚折目、及び該第１偏倚折目に連なり、該第１偏倚折目よりも内蓋側へ偏倚する第２偏倚折目を有する構成とすることにより、材料を増やすことなく、また、折り工数を増やすことなく段積み荷重に耐え得る強度を高めることができ、段積み姿勢の安定性が良好な箱体を提供することにある。
【課題を解決するための手段】
【０００９】
本発明に係る箱体は、平面視四角形をなし、底部を有する箱本体と、該箱本体の対向する各第１側板に第１折目により連なる内蓋と、前記箱本体の対向する各第２側板に第２折目により連なる外蓋とを備える箱体において、前記第１折目は、前記第２折目よりも前記底部側へ偏倚する第１偏倚折目、及び該第１偏倚折目に連なり、該第１偏倚折目よりも前記内蓋側へ偏倚する第２偏倚折目を有することを特徴とする。
【００１０】
この発明にあっては、第２折目よりも箱本体の底部側へ偏倚する第１偏倚折目、及び該第１偏倚折目よりも内蓋側へ偏倚する第２偏倚折目から内蓋を折ることができるため、二つの外蓋の折り箇所が盛り上がることはなく、段積み姿勢の安定性を良好にでき、しかも、内蓋を折った際、該内蓋の折り箇所の一部に、第２偏倚折目による凸部を形成することができるため、段積み荷重を、外蓋に連なる第２折目部分及び第２偏倚折目による凸部に夫々加えることができ、段積み荷重を分散することができるため、段積み荷重に耐え得る強度を高めることができ、段積み荷重による箱体の胴ぶくれ変形を低減することができる。また、第１折目が第１偏倚折目及び第２偏倚折目を有するため、材料及び折り工数を増やすことなく箱体を形成することができる。
【００１１】
また、本発明に係る箱体は、前記第２偏倚折目の偏倚量は、前記第１偏倚折目の偏倚量と等しい構成とするのが好ましい。
この発明にあっては、第２偏倚折目による凸部を、外蓋に連なる第２折目部分の高さとほぼ等しくすることができるため、外蓋に連なる第２折目部分及び第２偏倚折目による凸部に加わる段積み荷重を均等化でき、段積み荷重に耐え得る強度をより一層高めることができる。
【００１２】
また、本発明に係る箱体は、前記第１偏倚折目及び第２偏倚折目の偏倚量は３〜５ｍｍである構成とするのが好ましい。
この発明にあっては、第１偏倚折目及び第２偏倚折目の偏倚量が比較的少ないので、外蓋に連なる第２折目部分及び第２偏倚折目による凸部の耐荷重性を高めることができ、段積み荷重による第２折目部分及び前記凸部の変形を低減することができ、段積み荷重に耐え得る強度をより一層高めることができる。尚、偏倚量が３ｍｍ未満である場合、第２折目での折り箇所が盛り上がり易くなり、段積み姿勢の安定性が悪くなり易い。また、偏倚量が５ｍｍを超える場合、第２偏倚折目による凸部の耐荷重性が悪くなり、段積み荷重により前記凸部が変形し易くなる。
【００１３】
また、本発明に係る箱体は、前記第２偏倚折目は、長手方向の中央部に配してある構成とするのが好ましい。
この発明にあっては、第２偏倚折目による凸部を、二つの第２折目間の中央部に形成することができるため、段積み荷重の分散性を高めることができ、段積み荷重に耐え得る強度をより一層高めることができ、段積み荷重による箱体の胴ぶくれ変形をより一層低減することができる。
【００１４】
また、本発明に係る箱体は、前記第２偏倚折目の長さは、前記第１偏倚折目の長さよりも短い構成とするのが好ましい。
この発明にあっては、内蓋を第１偏倚折目から先行して折りつつ第２偏倚折目から折ることができるため、内蓋の第１折目箇所での折り形状の品位を高めることができる。
【００１５】
また、本発明に係る箱体は、前記第１偏倚折目及び第２偏倚折目の境界部はスリットを有する構成とするのが好ましい。
この発明にあっては、第１偏倚折目及び第２偏倚折目の境界部をスリットにより分断することができるため、内蓋が第１折目から折られる際、第２偏倚折目箇所での折り形状の品位をより一層高めることができる。
【００１６】
また、本発明に係る箱体は、前記第１偏倚折目及び第２偏倚折目の境界部は第１折目の長手方向に対し傾斜している構成とするのが好ましい。
この発明にあっては、第１偏倚折目及び第２偏倚折目の境界部を、傾斜する折目に沿って折ることができるため、境界部にスリットがない場合においても第２偏倚折目箇所での折り形状の品位を高めることができる。
【００１７】
また、本発明に係る箱体は、前記第２折目は、長手方向両端部の間で前記第２側板側へ湾曲している構成とするのが好ましい。
この発明にあっては、段積み荷重を、箱本体の四隅と、第２偏倚折目による凸部とに集中させることができるため、段積み荷重により前記四隅及び第２偏倚折目による凸部が変形した場合、第２折目の湾曲中央部及び第１偏倚折目の箇所で段積み荷重を受止めることができ、第２折目箇所の変形による品位低下を軽減することができる。
【００１８】
また、本発明に係る箱体は、前記第１折目の長さは、前記第２折目の長さよりも長い構成とするのが好ましい。
この発明にあっては、折目の長さが長い第１折目の一部に第２偏倚折目があり、横長直方体をなす箱本体の横方向中間での、段積み荷重に対する強度を高めることができるため、比較的大形の薄型テレビジョンが収容される箱体であっても、段積み荷重に耐え得る強度を高めることができ、段積み荷重による箱体の胴ぶくれ変形を低減することができる。
【発明の効果】
【００１９】
本発明によれば、第１偏倚折目及び第２偏倚折目から内蓋を折ることができるため、段積み姿勢の安定性を良好にでき、また、内蓋を折った際、該内蓋の折り箇所の一部に、第２偏倚折目による凸部を形成することができ、段積み荷重を分散することができるため、段積み荷重に耐え得る強度を高めることができ、段積み荷重による箱体の胴ぶくれ変形を低減することができ、しかも、第１折目が第１偏倚折目及び第２偏倚折目を有するため、材料及び折り工数を増やすことなく形成することができる。
【発明を実施するための最良の形態】
【００２０】
以下本発明をその実施の形態を示す図面に基づいて詳述する。
実施の形態１
図１は本発明に係る箱体の構成を示す展開図、図２は要部の構成を示す拡大図、図３は内蓋及び外蓋が省略された状態を示す斜視図、図４は組立てられた状態を示す斜視図、図５は組立てられた状態の蓋部分の拡大断面図である。
【００２１】
図４に示した箱体は平面視四角形をなす段ボール箱であり、図１の展開図に示すように、平面視四角形をなし、底部１１を有する段ボール紙製の箱本体１と、該箱本体１の一方向に対向する各第１側板１２，１２の上縁に第１折目２，２により連なる二つの内蓋３，３と、箱本体１の他方向に対向する各第２側板１３，１３の上縁に第２折目４，４により連なる二つの外蓋５，５とを備える。
【００２２】
箱本体１の第１側板１２，１２及び第２側板１３，１３は図１に示すように交互に配され、折目により互いに連なっており、一方の第１側板１２に折目により連なる結合片１４が一方の第２側板１３に結合されることにより略直方体に形成される。
【００２３】
第１側板１２，１２の横方向長さは、第２側板１３，１３の横方向長さの約２．５倍に形成され、これに対応して第１折目２，２の長さは、第２折目４，４の長さの約２．５倍、内蓋３，３の長さは、外蓋５，５の長さの約２．５倍に夫々形成されており、組立てられた際、横長の略直方体となる。
【００２４】
第２折目４，４は長手方向両端部の間で第２側板１３，１３側へ湾曲しており、第１折目２，２は、第２折目４，４よりも外蓋５，５と離隔する側へ偏倚する第１偏倚折目２１，２１、及び該第１偏倚折目２１，２１の長手方向中央部に配され、第１偏倚折目２１，２１よりも内蓋３，３側へ偏倚する第２偏倚折目２２，２２により形成されている。第２折目４，４の長手方向中央部は、第１偏倚折目２１，２１の偏倚量とほぼ等しい量だけ第２側板１３，１３側へ偏倚しており、中央部に対し長手方向両端部が凸部になっている。
【００２５】
第２偏倚折目２２，２２は、第１偏倚折目２１，２１の長さに対し約１０〜３０％の長さに形成されており、また、第２偏倚折目２２，２２は、第１偏倚折目２１，２１の偏倚量とほぼ等しい偏倚量だけ偏倚しており、内蓋３，３が第１偏倚折目２１，２１及び第２偏倚折目２２，２２から折られた際、第１折目２，２の長手方向中央部に、非折目で第１側板１２，１２に連なる凸部６，６を形成することができるように構成されている。第１偏倚折目２１，２１及び第２偏倚折目２２，２２の境界部２３，２３は第１折目２，２の長手方向に対し傾斜しており、また、境界部２３，２３には、該境界部２３，２３の傾斜に沿ってスリット７，７が設けられている。このスリット７，７は第２偏倚折目２２，２２の偏倚量とほぼ等しい長さに形成されている。尚、第１偏倚折目２１，２１及び第２偏倚折目２２，２２の偏倚量はいずれも３〜５mmである。
【００２６】
内蓋３，３の長手方向両側には略コ字形をなす被差込スリット３１，３１が設けられており、外蓋５，５の先端には、内蓋３，３夫々の被差込スリット３１，３１に差し込まれる二つの差込片５１，５１が設けられており、また、外蓋５，５の先端と第２折目４，４との間には補助折目５２，５２が設けられている。
【００２７】
箱本体１の底部１１は、第１側板１２，１２の下縁に第３折目１５，１５により連なる底内板１１ａ，１１ａと、第２側板１３，１３の下縁に第４折目１６，１６により連なる底外板１１ｂ，１１ｂとを有する。第３折目１５，１５は第１折目２，２と同様に形成されており、第４折目１６，１６は第２折目４，４と同様に形成されているため、その詳細な説明を省略する。
【００２８】
以上のように構成された箱体は、非使用時には扁平につぶされており、使用時には箱本体１を略直方体に引き起こした状態で底内板１１ａ，１１ａを第３折目１５，１５から折り、底外板１１ｂ，１１ｂを第４折目１６，１６から折り、この底外板１１ｂ，１１ｂが例えばステープル止めにより底内板１１ａ，１１ａに固定され、蓋側（天側）が開放された箱本体１となる。この箱本体１に薄型テレビジョンが収容された後、二つの内蓋３，３が第１折目２，２から折られ、さらに二つの外蓋５，５が第２折目４，４及び補助折目５２，５２から折られ、外蓋５，５夫々の差込片５１，５１が、内蓋３，３夫々の被差込スリット３１，３１に差込まれ、梱包される。
【００２９】
内蓋３，３が第１折目２，２から折られる際、第１折目２，２は、第１偏倚折目２１，２１及び第２偏倚折目２２，２２により形成されているため、第２偏倚折目２２，２２により、第１側板１２，１２と非折目で連なる凸部６，６を形成することができる。また、外蓋５，５が第２折目４，４から折られる際、第２折目４，４は湾曲しているため、該外蓋５，５の折り箇所は、第２折目４，４の長手方向両端部が凸部になる。
【００３０】
第１偏倚折目２１，２１及び第２偏倚折目２２，２２の境界部２３，２３は、第１偏倚折目２１，２１の長手方向に対して傾斜しているため、第１偏倚折目２１，２１及び第２偏倚折目２２，２２の境界部２３，２３を、傾斜する折目に沿って簡易に折ることができ、第２偏倚折目２２，２２箇所での折り形状の品位を高めることができる。さらに、第１偏倚折目２１，２１及び第２偏倚折目２２，２２の境界部２３，２３は、スリット７，７により分断されているため、内蓋３，３が第１折目２，２から折られる際、第２偏倚折目２２，２２箇所での折り形状の品位をより一層高めることができる。
【００３１】
図６は薄型テレビジョンを梱包してなる箱体が段積みされた状態を示す説明図である。薄型テレビジョンを梱包してなる箱体は段積み状態で倉庫等に保管されたり、段積み状態で輸送されたりする。この場合、上側に段積みされた箱体の荷重（段積み荷重）が、下側の箱体に加わる。
【００３２】
箱体における第２折目４，４の長手方向両端部、換言すると箱体の四隅部と、第１折目２，２の長手方向中央部とは凸部になっているため、段積み荷重は、第２折目４，４の長手方向両端凸部と、第１折目２，２の長手方向中央凸部６，６とに夫々加えることができ、段積み荷重を第１折目２，２側へ分散することができるため、段積み荷重に耐え得る強度を高めることができ、下側の箱体の第１側板１２，１２及び第２側板１３，１３が外膨らみに変形するのを防ぐことができる。
【００３３】
因に、本発明の箱体と図１７〜図１９に示す現行の箱体との圧縮強度に対する耐強度試験を行ったところ、表１、及び図７の結果が得られた。表１は圧縮強度に対する箱体の座屈変形量を示しており、図７は圧縮強度に対して箱体が座屈変形する過程を示すグラフである。
【００３４】
【表１】
2009248974.tif 000003
【００３５】
表１では、本発明の箱体３個と、現行の箱体３個との圧縮強度に対する箱体の座屈変形量を測定した。現行の箱体３個は、平均した圧縮強度５８００Ｎに対して１０mm座屈変形したのに対し、本発明の箱体３個は、平均した圧縮強度７２２０Ｎに対して１１mm座屈変形しており、本発明の箱体によれば、圧縮強度に対する耐強度を現行の箱体に比べて約２４％高くすることができた。
【００３６】
また、図７に示すように現行の箱体にあっては、座屈点へ至る間に除々に変形しているのに対し、本発明の箱体にあっては、座屈点の直前まで非変形の状態を維持し、荷重負担しているため、表１に現れているように圧縮強度に対する耐強度を現行の箱体に比べて約２４％高くすることができたのを読み取れる。
【００３７】
このように、圧縮強度に対する耐強度を現行の箱体に比べて高くすることができるため、箱体材料のグレードを下げることが可能であり、箱体材料費の低減を図り得る。
【００３８】
実施の形態２
図８は本発明に係る箱体の他の構成を示す展開図、図９は内蓋及び外蓋が省略された状態を示す斜視図、図１０は組立てられた状態を示す斜視図である。この箱体は、第２折目４，４を湾曲させることなく、直線的に形成し、第１折目２，２を、第１偏倚折目２１，２１及び第２偏倚折目２２，２２により形成し、段積み荷重を、第２折目４，４の全体と、第２偏倚折目２２，２２による凸部６，６とにより受止めるように構成したものである。
【００３９】
この実施の形態２において、第２偏倚折目２２，２２は、第１偏倚折目２１，２１の偏倚量とほぼ等しい偏倚量だけ偏倚しており、第２折目４，４の延長線上に第２偏倚折目２２，２２が配されている。
【００４０】
この実施の形態２にあっては、箱本体１に薄型テレビジョンが収容され、内蓋３，３が第１折目２，２から折られた後、外蓋５，５が第２折目４，４から折られる際、該外蓋５，５の折り箇所は直線的となる。また、第１折目２，２の長手方向中央部には第２偏倚折目２２，２２による凸部６，６が形成される。このように外蓋５，５の折り箇所は直線的となるため、第２折目４，４箇所の品位を高めることができる。
【００４１】
図１１は薄型テレビジョンを梱包してなる箱体が段積みされた状態を示す説明図である。薄型テレビジョンが収容された箱体が段積みされた場合、段積み荷重を、外蓋５，５の折り箇所と、第２偏倚折目２２，２２による凸部６，６とに分散させることができ、外蓋５，５の折り箇所及び第２偏倚折目２２，２２による凸部６，６箇所で段積み荷重を受止めることができ、実施の形態１と同様、圧縮強度に対する耐強度を現行の箱体に比べて高くすることができる。
その他の構成及び作用は実施の形態１と同様であるため、同様の部品については同じ符号を付し、その詳細な説明及び作用効果の説明を省略する。
【００４２】
尚、以上説明した実施の形態では、箱本体１の第１側板１２，１２の下縁に連なる第３折目１５，１５及び第２側板１３，１３の下縁に連なる第４折目１６，１６を、第１折目２，２、第２折目４，４と同様に構成したが、その他、第３折目１５，１５及び第４折目１５，１５は現行の箱体と同様に構成してもよい。
【００４３】
また、以上説明した実施の形態では、第１折目２，２の長手方向中央部に第２偏倚折目２２，２２を配したが、その他、第２偏倚折目２２，２２は第１折目２，２の長手方向端部であってもよく、第１折目２，２上の配置箇所は特に制限されない。また、第２偏倚折目２２，２２は第１折目２，２上に一つ配する他、複数を長手方向に離隔して配する構成としてもよい。
【００４４】
また、以上説明した実施の形態では、第１偏倚折目２１，２１及び第２偏倚折目２２，２２の境界部２３，２３を第１偏倚折目２１，２１に対し傾斜させたが、その他、非傾斜としてもよい。また、境界部２３，２３は非スリットの構成としてもよい。また、境界部２３，２３は、第１偏倚折目２１，２１及び第２偏倚折目２２，２２に連なる折目を有する構成とする他、この折目がなく、スリット７，７により第１偏倚折目２１，２１及び第２偏倚折目２２，２２に連なる構成としてもよい。
【００４５】
また、以上説明した実施の形態では、二つの第１折目２，２が第２偏倚折目２２，２２を有する構成としたが、その他、一方の第１折目２だけが第２偏倚折目２２を有する構成としてもよく、少なくとも一方の第１折目２が第２偏倚折目２２を有する構成であればよい。この場合においても、段積み荷重を、第２折目４，４箇所と、第２偏倚折目２２による凸部６箇所とに分散して負担することができ、圧縮強度に対する耐強度を高くすることができる。
【図面の簡単な説明】
【００４６】
【図１】本発明に係る箱体の構成を示す展開図である。
【図２】本発明に係る箱体の要部の構成を示す拡大図である。
【図３】本発明に係る箱体の内蓋及び外蓋が省略された状態を示す斜視図である。
【図４】本発明に係る箱体が組立てられた状態を示す斜視図である。
【図５】本発明に係る箱体が組立てられた状態の蓋部分の拡大断面図である。
【図６】薄型テレビジョンを梱包してなる箱体が段積みされた状態を示す説明図である。
【図７】圧縮強度に対して箱体が座屈変形する過程を示すグラフである。
【図８】本発明に係る箱体の他の構成を示す展開図である。
【図９】本発明に係る箱体の内蓋及び外蓋が省略された状態を示す斜視図である。
【図１０】本発明に係る箱体が組立てられた状態を示す斜視図である。
【図１１】薄型テレビジョンを梱包してなる箱体が段積みされた状態を示す説明図である。
【図１２】従来の箱体の構成を示す展開図である。
【図１３】従来の箱体の内蓋及び外蓋が省略された状態を示す斜視図である。
【図１４】従来の箱体が組立てられた状態を示す斜視図である。
【図１５】従来の箱体が組立てられた状態の蓋部分の拡大断面図である。
【図１６】従来の箱体が段積みされた際の説明図である。
【図１７】改良された従来の箱体の構成を示す展開図である。
【図１８】改良された従来の箱体の内蓋及び外蓋が省略された状態を示す斜視図である。
【図１９】改良された従来の箱体が組立てられた状態の蓋部分の拡大断面図である。
【図２０】改良された従来の箱体が段積みされた際の説明図である。
【符号の説明】
【００４７】
１    箱本体
１１  底部
２    第１折目
２１  第１偏倚折目
２２  第２偏倚折目
２３  境界部
３    内蓋
５    外蓋
４    第２折目
６    凸部
７    スリット
【図１】
2009248974.tif 000004
【図２】
2009248974.tif 000005
【図３】
2009248974.tif 000006
【図４】
2009248974.tif 000007
【図５】
2009248974.tif 000008
【図６】
2009248974.tif 000009
【図７】
2009248974.tif 000010
【図８】
2009248974.tif 000011
【図９】
2009248974.tif 000012
【図１０】
2009248974.tif 000013
【図１１】
2009248974.tif 000014
【図１２】
2009248974.tif 000015
【図１３】
2009248974.tif 000016
【図１４】
2009248974.tif 000017
【図１５】
2009248974.tif 000018
【図１６】
2009248974.tif 000019
【図１７】
2009248974.tif 000020
【図１８】
2009248974.tif 000021
【図１９】
2009248974.tif 000022
【図２０】
2009248974.tif 000023